(57)【要約】【課題】増幅器の切り替えの前後において感度が滑らかに変化するようにして誤差を軽減させるようにした煙感知器を提供する。【解決手段】ＬＤユニット２１と、フォトダイオード２２と、フォトダイオード２２の出力信号を増幅する増幅回路２４と、増幅回路２４の出力又はそれに基づいて得られる煙濃度に基づいて火災発生を判別するＭＰＵ１０とを備えた煙感知器。増幅回路２４は、直列に接続された複数段の増幅器を備え、各増幅器の出力を制御回路に出力し、ＭＰＵ１０は、増幅器の出力を、当該増幅器の出力とその前段側に隣接した増幅器の出力とに基づいて得られた補正値に基づいて補正する。【選択図】図１
2011215685.tif 000002
【特許請求の範囲】
【請求項１】
検煙部内に配設された発光素子と、
該発光素子から発光した光が前記検煙部に存在する煙粒子によって生じる散乱光を受光する受光素子と、
前記受光素子の出力信号を増幅する増幅回路と、
前記増幅回路の出力に対応した煙濃度に基づいて火災発生を判別する制御回路と、
を備えた煙感知器において、
前記増幅回路は、直列に接続された複数段の増幅器を備え、各増幅器の出力を前記制御回路に出力し、
前記制御回路は、
前記増幅器の出力に対応した煙濃度を、当該増幅器の出力に対応した煙濃度と、その前段側に隣接した増幅器の出力に対応した煙濃度とに基づいて得られた補正値に基づいて補正することを特徴とする煙感知器。
【請求項２】
前記制御回路は、
各増幅器の出力について切替上限値を設定するとともに、初段の増幅器を除いて各増幅器の出力について切替電圧値（切替電圧値＜切替上限値）を設定し、そして、複数段の増幅器の出力の内、前記切替上限値の範囲内にある後段側の増幅器の出力を火災発生の判別に使用し、前記増幅器の出力が前記切替電圧値に到達すると、当該増幅器の出力に対応した煙濃度と、それよりも前段側にある増幅器の出力に対応した煙濃度とに基づいて補正値を求め、前記前段側の増幅器の出力に対応した煙濃度を前記補正値に基づいて補正することを特徴とする請求項１に記載の煙感知器。
【請求項３】
前記制御回路は、前記増幅器の出力が前記切替電圧値に到達すると、当該増幅器の出力に対応した煙濃度とそれよりも前段側の増幅器の出力の煙濃度との差分に基づいて補正値を求めるとともに、その両者の大小に基づいて負又は正のフラグをセットし、前記前段側にある増幅器の出力に対応した煙濃度に、前記補正値を前記フラグに基づいて減算又は加算して補正することを特徴とする請求項２記載の煙感知器。
【発明の詳細な説明】
【技術分野】
【０００１】
本発明は、煙感知器に関し、特に、直列に接続された複数段の増幅器の切り替えに関する。
【背景技術】
【０００２】
従来の感知装置には、例えば増幅器の増幅度を切り替えることにより煙濃度の検知範囲（ダイナミックレンジ）を変えて、増幅器の最終段の出力を火災信号又は煙濃度レベルに変換しているものがある（特許文献１参照）。
【先行技術文献】
【特許文献】
【０００３】
【特許文献１】特公平０５−１０７１８号公報（図１、図２）
【発明の概要】
【発明が解決しようとする課題】
【０００４】
上記の従来の感知装置では、増幅器の増幅度を切り替えることにより煙濃度の検知範囲（ダイナミックレンジ）を変えて、増幅器の最終段の出力を火災信号又は煙濃度レベルに変換しているが、その増幅度の切り替えの前後においては感度が段階的に変化し、誤差を生じるという問題点があった。
【０００５】
本発明は、上記のような問題点を解決するためになされたものであり、直列に接続された複数段の増幅器の切り替えの前後において感度が滑らかに変化するようにして誤差を軽減させるようにした煙感知器を提供することを目的とする。
【課題を解決するための手段】
【０００６】
本発明に係る煙感知器は、検煙部内に配設された発光素子と、該発光素子から発光した光が前記検煙部に存在する煙粒子によって生じる散乱光を受光する受光素子と、前記受光素子の出力信号を増幅する増幅回路と、前記増幅回路の出力に対応した煙濃度に基づいて火災発生を判別する制御回路とを備えた煙感知器において、前記増幅回路は、直列に接続された複数段の増幅器を備え、各増幅器の出力を前記制御回路に出力し、前記制御回路は、前記増幅器の出力に対応した煙濃度を、当該増幅器の出力に対応した煙濃度と、その前段側に隣接した増幅器の出力に対応した煙濃度とに基づいて得られた補正値に基づいて補正する。
【０００７】
また、本発明に係る煙感知器において、前記制御回路は、各増幅器の出力について切替上限値を設定するとともに、初段の増幅器を除いて各増幅器の出力について切替電圧値（切替電圧値＜切替上限値）を設定し、そして、複数段の増幅器の出力の内、前記切替上限値の範囲内にある後段側の増幅器の出力を火災発生の判別に使用し、前記増幅器の出力が前記切替電圧値に到達すると、当該増幅器の出力に対応した煙濃度と、それよりも前段側にある増幅器の出力に対応した煙濃度とに基づいて補正値を求め、前記前段側の増幅器の出力に対応した煙濃度を前記補正値に基づいて補正する。
また、本発明に係る煙感知器において、前記制御回路は、前記増幅器の出力が前記切替電圧値に到達すると、当該増幅器の出力に対応した煙濃度とそれよりも前段側の増幅器の出力の煙濃度との差分に基づいて補正値を求めるとともに、その両者の大小に基づいて負又は正のフラグをセットし、前記前段側にある増幅器の出力に対応した煙濃度に、前記補正値を前記フラグに基づいて減算又は加算して補正する。
【発明の効果】
【０００８】
本発明に係る煙感知器によれば、前記制御回路が、 前記増幅器の出力に対応した煙濃度を、当該増幅器の出力に対応した煙濃度と、その前段側に隣接した増幅器の出力に対応した煙濃度とに基づいて得られた補正値に基づいて補正しており、このため、増幅器の出力を切り替えて火災判別に使用しても増幅器の切り替えの前後において感度が滑らかに変化し、誤差が軽減される。このため、煙濃度がほぼ一定の上昇率で増加するような場合には、煙濃度が直線的に増加して出力されるため、広範囲の煙濃度に亘って正確な火災判断が可能になっている。
【０００９】
また、本発明に係る煙感知器によれば、各増幅器の出力について切替上限値を設定するとともに、初段の増幅器を除いて各増幅器の出力について切替電圧値（切替電圧値＜切替上限値）を設定し、そして、複数段の増幅器の出力の内、前記切替上限値の範囲内にある後段側の増幅器の出力を火災発生の判別に使用し、前記増幅器の出力が前記切替電圧値に到達すると、当該増幅器の出力に対応した煙濃度と、それよりも前段側にある増幅器の出力に対応した煙濃度とに基づいて補正値を求め、前記前段側の増幅器の出力に対応した煙濃度を前記補正値に基づいて補正するようにしたので、直列に接続された複数段の増幅器の切り替えの前後において感度が滑らかに変化する。
また、本発明に係る煙感知器によれば、前記増幅器の出力が前記切替電圧値に到達すると、当該増幅器の出力に対応した煙濃度とそれよりも前段側の増幅器の出力の煙濃度との差分に基づいて補正値を求めるとともに、その両者に大小に基づいて負又は正のフラグをセットし、前記前段側にある増幅器の出力に対応した煙濃度に、前記補正値を前記フラグに基づいて減算又は加算して補正するようにしたので、補正処理を簡単に行うことができる。
【図面の簡単な説明】
【００１０】
【図１】本発明の一実施の形態に係る煙感知器の機能ブロック図である。
【図２】図１のフォトダイオード、電流電圧変換部及び増幅回路の回路図である。
【図３】図１の煙感知器における増幅器の選択処理を示すフローチャート（その１）である。
【図４】図１の煙感知器における増幅器の選択処理を示すフローチャート（その２）である。
【図５】図１の煙感知器における増幅器の選択処理を示すフローチャート（その３）である。
【図６】フォトダイオード（センサ）の出力、増幅器の出力及び煙濃度の関係を示した特性図である。
【発明を実施するための形態】
【００１１】
図１は、本発明の一実施形態に係る煙感知器の構成を示すブロック図である。
煙感知器１は、例えば被検知領域からの空気を引き込むダクト（図示せず）等が煙検出部に接続されるものであり、図１に示されるように、本発明の制御回路として機能するマイクロプロセッサ（ＭＰＵ）１０を備えている。このマイクロプロセッサ１０には、煙検出部２０、環境監視・ファン制御部３０、状態表示・音響部４０等が接続されている。
【００１２】
煙検出部２０は、レーザダイオードを備えたＬＤユニット２１、フォトダイオード（ＰＤ）２２、電流電圧変換部２３及び増幅回路２４を備えている。この煙検出部２０の詳細については後述の図２において詳細に説明する。なお、レーザダイオードは本発明の発光素子に相当し、フォトダイオード２２は本発明の受光素子に相当する。
【００１３】
環境監視・ファン制御部３０は、ファン電圧制御／回転数監視部３１、気流監視部３２、電圧監視部３３、電圧監視部３４及び温度検出部３５を備えている。ファン電圧制御／回転数監視部３１は、ダクト（図示せず）に配置され、監視対象の空間から空気を取り込むファン７１を制御するものであり、マイクロプロセッサ１０の出力に基づいて駆動電圧を制御するとともに、その回転数を取り込んでこのマイクロプロセッサ１０に出力する。気流監視部３２は、例えばフローセンサを備えており、ダクトの流量を検出してマイクロプロセッサ１０に出力する。電圧監視部３３は、電源電圧（例えば２４Ｖ）を監視してマイクロプロセッサ１０に出力する。電圧監視部３４は、マイクロプロセッサ１０等に印加される内部電圧を監視してマイクロプロセッサ１０に出力する。温度検出部３５は、煙感知器１が設置された環境の温度を検出してマイクロプロセッサ１０に出力する。マイクロプロセッサ１０は、上記の環境監視・ファン制御部３０からの出力を取り込んで、ファン電圧制御／回転数監視部３１を介してファン７１を制御したり、各種の演算処理をする。
【００１４】
状態表示・音響部４０は、表示部４１及び音響部４２を備えている。表示部４１は、例えば正常、警報（アラームレベル１〜３）、フィルタ交換を表示する確認灯、煙濃度を示す１０セグ（バーグラフ）ＬＥＤ、故障エラーコードを示す７セグＬＥＤを備えている。音響部４２は、例えば警報（２種類）、故障、フィルタ交換等について報知する。
【００１５】
このマイクロプロセッサ１０には、上記の他に、伝送・入出力部５０、各種スイッチ６１、不揮発性メモリ６２、６３、リアルタイムクロック６４、ディップスイッチ（ＤＩＰＳＷ）６５等が接続されている。
伝送・入出力部５０は、送受信部（ＲＳ４２２）５１、アナログ出力部５２及び無電圧接点５３を備えている。送受信部５１の出力は、受信機（図示せず）の伝送（ＮＩＵ）基板に送信され、アナログ出力部５２の出力は受信機のロガーなどの記録計に出力され、無電圧接点５３は受信機の表示器等に接続される。伝送・入出力部５０はこのように構成されており、煙感知器１の出力が受信機等に送信される。
各種スイッチ６１には、例えば復旧、遮断、音響停止、模擬火災、模擬故障に対応したスイッチが含まれており、マイクロプロセッサ１０はこれらのスイッチが操作されると、その操作されたスイッチに対応した演算処理をする。
不揮発性メモリ６２には、例えば感度等が出荷の段階で工場で設定される。不揮発性メモリ６３には、例えば濃度変化やイベントが記録される。リアルタイムクロック６４は、マイクロプロセッサ１０等を動作させるクロックを発生する。ディップスイッチ６５は、例えば煙感知器１のアドレスを設定するものであり、出荷の段階で工場で設定される。
【００１６】
本実施の形態に係る煙感知器１の構成は以上のとおりであるが、次に、本実施の形態の特徴部分である煙検出部２０を図２に基づいて詳細に説明する。
【００１７】
図２は、煙検出部のフォトダイオード２２、電流電圧変換部２３及び増幅回路２４の回路図である。
煙検出部２０は、図２に示されるように、フォトダイオード２２、電流電圧変換部２３及び増幅回路２４を備えている。フォトダイオード２２には並列に抵抗Ｒ１が接続されており、ＬＤユニット２１からの光を受光する。電流電圧変換部２３は、抵抗Ｒ２、Ｒ３、コンデンサＣ１及びアンプ（オペアンプ）ＡＭＰ１から構成されており、フォトダイオード２２からの電流を電圧に変換する。増幅回路２４は、直列に接続された複数段の増幅器（図示の例では３段階）から構成されており、第１段の増幅器は、抵抗Ｒ２〜Ｒ４、コンデンサＣ１、Ｃ２及びアンプ（オペアンプ）ＡＭＰ１から構成されている。なお、この第１段の増幅器の一部は、電流電圧変換部２３を構成している。第２段の増幅器は、抵抗Ｒ５〜Ｒ７、コンデンサＣ３、Ｃ４及びアンプ（オペアンプ）ＡＭＰ２から構成されている。第３段の増幅器は、抵抗Ｒ８、Ｒ９、コンデンサＣ５及びアンプ（オペアンプ）ＡＭＰ３から構成されている。
【００１８】
図２において、第１段の増幅器の出力はＡＭＰ１out、第２段の増幅器の出力はＡＭＰ２out、第３段の増幅器の出力はＡＭＰ３outと表記されており、第１段の増幅器の出力ＡＭＰ１outは第２段の増幅器で増幅され、第２段の増幅器の出力ＡＭＰ２outは第３段の増幅器で増幅されてＡＭＰ３outとして出力される。これらのＡＭＰ１out、ＡＭＰ２out、及びＡＭＰ３outはマイクロプロセッサ１０に入力し、マイクロプロセッサ１０はその入力に基づいて煙濃度を求め、マイクロプロセッサ１０に機能的に内蔵している火災判別手段が、その煙濃度が所定の閾値以上であると、火災が発生していると判定する。マイクロプロセッサ１０がこの煙濃度を求める処理を図３〜図５に基づいて説明する。
【００１９】
図３〜図５は、マイクロプロセッサ１０が煙濃度を求める際の処理を示したフローチャートであり、図３はＡＭＰ３出力値（ＡＭＰ３out）を煙濃度のデータとして適用する場合の処理、図４はＡＭＰ２出力値（ＡＭＰ２out）を煙濃度のデータとして適用する場合の処理、図５はＡＭＰ１出力値（ＡＭＰ１out）を煙濃度のデータとして適用する場合の処理である。図６は、増幅回路の出力（ＡＭＰ１out〜ＡＭＰ３out）と煙濃度との関係を示した特性図である。
【００２０】
図３において、マイクロプロセッサ１０は、ＡＭＰ３出力値と（ＡＭＰ３出力値あるいはＡＭＰ２出力値を適用するかの閾値である）ＡＭＰ３切替上限値との関係が、
ＡＭＰ３出力値≧ＡＭＰ３の切替上限値、
であるかどうかを判定し（Ｓ１１）、その条件が成立しない場合には（ＮＯ）、ＡＭＰ３出力値を煙濃度に変換する。（Ｓ１２）この変換は例えば図６の特性に基づいてなされる。
そして、ＡＭＰ３出力値と（ＡＭＰ３出力値からＡＭＰ２出力値へ切替付近の出力値である）ＡＭＰ２切替電圧値との関係が
ＡＭＰ３出力値≧ＡＭＰ２の切替電圧値、
であるかどうかを判定する（Ｓ１３）。
なお、例えば、ＡＭＰ２切替電圧値は、ＡＭＰ３切替上限値の７０〜９０％程度に設定される。ここで、その条件が成立しない場合には（ＮＯ）、ＡＭＰ２リニアリティ調整値をクリアし（Ｓ１４）、ＡＭＰ１リニアリティ調整値をクリアする（Ｓ１５）。これらのＡＭＰ２リニアリティ調整値及びＡＭＰ１リニアリティ調整値については後述する。
そして、ＡＭＰ３出力値に基づいて変換された煙濃度（ＡＭＰ３煙濃度）をそのときの煙濃度としてセットする（Ｓ１６）。
【００２１】
また、上記の判定（Ｓ１３）において、その条件が成立した場合には（ＹＥＳ）、ＡＭＰ２出力値を煙濃度に変換し（Ｓ１６）、ＡＭＰ３煙濃度とＡＭＰ２煙濃度との関係が、
ＡＭＰ３煙濃度≧ＡＭＰ２煙濃度
であるかどうかを判定し（Ｓ１７）、その条件が成立しない場合には（ＮＯ）、
ＡＭＰ２煙濃度−ＡＭＰ３煙濃度（偏差分算出）
を求めて（Ｓ１８）、その偏差分をＡＭＰ２リニアリティ調整値にセットし（Ｓ１９）、
プラス方向調整フラグをセットして（Ｓ２０）、上記の処理（Ｓ１６）に移行する。
【００２２】
また、上記の判定（Ｓ１７）において、その条件が成立した場合には（ＹＥＳ）、
ＡＭＰ３煙濃度−ＡＭＰ２煙濃度（偏差分算出）
を求めて（Ｓ２１）、その偏差分をＡＭＰ２リニアリティ調整値にセットし（Ｓ２２）、
マイナス方向調整フラグをセットして（Ｓ２３）、上記の処理（Ｓ１６）に移行する。
ここで、ＡＭＰ２リニアリティ調整値、プラス方向調整フラグ及びマイナス方向調整フラグは、ＡＭＰ３煙濃度のレベルとＡＭＰ２煙濃度のレベルを調整するためのものであり、後述の図４においてＡＭＰ２煙濃度を補正する際に用いられる。なお、例えば図６に示されるように、０．０００％／ｍ〜０．２００％／ｍの範囲は、ＡＭＰ３出力値（ＡＭＰ３out）が煙濃度の検知に適用される。
【００２３】
図３において、マイクロプロセッサ１０は、ＡＭＰ３出力値がＡＭＰ３切替上限値との関係が、ＡＭＰ３出力値≧ＡＭＰ３の切替上限値、という条件が成立した場合には（Ｓ１１、ＹＥＳ）、
図４において、ＡＭＰ２出力値と（ＡＭＰ２出力値あるいはＡＭＰ１出力値を適用するかの閾値である）ＡＭＰ２切替上限値との関係が、
ＡＭＰ２出力値≧ＡＭＰ２の切替上限値、
という条件が成立するかどうかを判定し（Ｓ３１）、その条件が成立しない場合には（ＮＯ）、ＡＭＰ２出力値を煙濃度に変換する（Ｓ３２）。この変換処理においても図６の特性に基づいてなされる。そして、
ＡＭＰ２煙濃度土ＡＭＰ２リニアリティ調整値
という補正演算をし（Ｓ３３）、その補正されたＡＭＰ２煙濃度をそのときの煙濃度として設定する。なお、上記の補正演算においては、既にＡＭＰ２リニアリティ調整値（Ｓ１９、Ｓ２２）とプラス方向調整フラグ及びマイナス方向調整フラグの何れかがセットされており（Ｓ２０、Ｓ２３）、そのセットされているフラグに基づいて加算又は減算がなされる。
次に、ＡＭＰ２出力値と（ＡＭＰ２出力値からＡＭＰ１出力値へ切替付近の出力値である）ＡＭＰ１切替電圧値との関係が
ＡＭＰ２出力値≧ＡＭＰ１の切替電圧値、
であるかどうかを判定する（Ｓ３４）。なお、例えば、ＡＭＰ１切替電圧値は、ＡＭＰ２切替上限値の７０〜９０％程度に設定される。この条件が成立しない場合には、上記の処理（Ｓ１６）に移行し、上記にて補正されたＡＭＰ２煙濃度がそのときの煙濃度として設定される。
【００２４】
また、上記の判定（Ｓ３４）において、その条件が成立した場合には（ＹＥＳ）、ＡＭＰ１出力値を煙濃度に変換し（Ｓ３５）、ＡＭＰ２煙濃度とＡＭＰ１煙濃度との関係が、
ＡＭＰ２煙濃度≧ＡＭＰ１煙濃度
であるかどうかを判定し（Ｓ３６）、その条件が成立しない場合には（ＮＯ）、
ＡＭＰ１煙濃度−ＡＭＰ２煙濃度（偏差分算出）
を求めて（Ｓ３７）、その偏差分をＡＭＰ１リニアリティ調整値にセットし（Ｓ３８）、
プラス方向調整フラグをセットして（Ｓ３９）、上記の処理（Ｓ１６）に移行する。
また、上記の判定（Ｓ３６）において、その条件が成立した場合には（ＹＥＳ）、
ＡＭＰ２煙濃度−ＡＭＰ１煙濃度（偏差分算出）
を求めて（Ｓ４０）、その偏差分をＡＭＰ１リニアリティ調整値にセットし（Ｓ４１）、マイナス方向調整フラグをセットして（Ｓ４２）、上記の処理（Ｓ１６）に移行する。
ここで、ＡＭＰ１リニアリティ調整値、プラス方向調整フラグ及びマイナス方向調整フラグは、ＡＭＰ３煙濃度のレベルとＡＭＰ２煙濃度のレベルを調整するためのものであり、後述の図５においてＡＭＰ１煙濃度を補正する際に用いられる。なお、例えば図６に示されるように、０．２００％／ｍ〜２０．０００％／ｍの範囲は、ＡＭＰ２出力値（ＡＭＰ２out）が煙濃度の検知に適用される。
【００２５】
図４において、マイクロプロセッサ１０は、ＡＭＰ２出力値がＡＭＰ２切替上限値との関係が、ＡＭＰ２出力値≧ＡＭＰ２の切替上限値、という条件が成立した場合には（Ｓ３１、ＹＥＳ）、
図５において、ＡＭＰ１出力値と（ＡＭＰ１出力値あるいは煙濃度上限値を適用するかの閾値である）ＡＭＰ１切替上限値との関係が、
ＡＭＰ１出力値≧ＡＭＰ１の切替上限値、
という条件が成立するかどうかを判定し（Ｓ５１）、その条件が成立しない場合には（ＮＯ）、ＡＭＰ１出力値を煙濃度に変換する（Ｓ５２）。そして、
ＡＭＰ１煙濃度土ＡＭＰ１リニアリティ調整値
という補正演算をし（Ｓ５３）、上記の処理（Ｓ１６）に移行し、その補正されたＡＭＰ１煙濃度をそのときの煙濃度として設定する。なお、上記の補正演算においても、既にＡＭＰ１リニアリティ調整値（Ｓ３８、Ｓ４１）とプラス方向調整フラグ及びマイナス方向調整フラグの何れかがセットされており（Ｓ３９、Ｓ４２）、そのセットされているフラグに基づいて加算又は減算がなされる。
なお、ＡＭＰ１出力値（ＡＭＰ１out）は、例えば図６に示されるように２．０００％／ｍ〜２０．０００％／ｍの範囲が、煙濃度の検知に適用される。
また、上記の判定（Ｓ５１）において、その条件が成立した場合には（ＹＥＳ）、煙濃度上限値を固定するべく、２０．０００（％／ｍ）をそのときの煙濃度として設定し（Ｓ５４）、上記の処理（Ｓ１６）に移行する。
【００２６】
以上のように、本実施の形態によれば、フォトダイオード２２の出力に応じて適用する増幅器の出力ＡＭＰ１ｏｕｔ、ＡＭＰ２ｏｕｔ及びＡＭＰ３ｏｕｔを使い分けており、複数段の出力の内、切替上限値の範囲内にある後段側の増幅器の出力を火災発生の判別に使用し、増幅器の出力が切替電圧値に到達すると、当該増幅器の出力とそれよりも前段側にある増幅器の出力とに基づいて補正値（リニアリティ調整値）を求めて、前段側にある増器の出力をその補正値に基づいて補正している。このため、煙濃度がほぼ一定の上昇率で増加するような場合には、煙濃度が直線的に増加して出力されるため、煙濃度を広範囲に亘って検知することができ、正確な火災判定が可能になっている。
【００２７】
また、マイクロプロセッサ１０は、その補正演算においては、増幅器の出力とそれよりも前段側にある増幅器の出力の差分に基づいて補正値を求めるとともに、その両者の大小に基づいて負又は正のフラグ（マイナス方向調整フラグ、プラス方向調整フラグ）をセットし、前段側にある増幅器の出力に、上記の補正値をフラグに基づいて減算又は加算して補正するようにしたので、補正処理を簡単に行うことができる。
【００２８】
なお、本発明の補正演算は、上記の例に限定されるものではなく、隣接する増幅器の出力の相対比を求め、その相対比を補正値とし、増幅器の出力値に乗算又は除算するようにしても良い。
【符号の説明】
【００２９】
１０ マイクロプロセッサ、２０ 煙検出部、２１ ＬＤユニット、２２ フォトダイオード、２３ 電流電圧変換部、２４ 増幅回路、３０ 環境監視・ファン制御部、３１ ファン電圧制御／回転数監視部、３２ 気流監視部、３３ 電圧監視部、３４ 電圧監視部、３５ 温度検出部、４０ 状態表示・音響部、４１ 表示部、４２ 音響部、５０ 伝送・入出力部、５１ 送受信部、５２ アナログ出力部、５３ 無電圧接点、６１ 各種スイッチ、６２ 不揮発性メモリ、６３ 不揮発性メモリ、６４ リアルタイムクロック、６５ ディップスイッチ。
【図１】
2011215685.tif 000003
【図２】
2011215685.tif 000004
【図３】
2011215685.tif 000005
【図４】
2011215685.tif 000006
【図５】
2011215685.tif 000007
【図６】
2011215685.tif 000008